【手続補正書】
【提出日】平成23年7月20日(2011.7.20)
【手続補正１】
【補正対象書類名】特許請求の範囲
【補正対象項目名】全文
【補正方法】変更
【補正の内容】
【特許請求の範囲】
【請求項１】
RF信号を生成する、周波数および振幅をプログラム可能なRF発生器と、
該RF信号を受信しかつ増幅されたRF信号を生成する、RFゲインステージと、
該RFゲインステージに送達される電源電流に比例する検出信号を生成する、検出回路と、
該RFゲインステージの出力部に結合された一次側（primary）、および質量分析計のイオントラップまたは質量フィルタのキャパシタンスでタンク回路を形成するように結合された二次側（secondary）を有する、変圧器と、
該検出信号を受信しかつ該RF発生器へのフィードバック制御信号を生成し、該RFゲインステージに必要な該電源電流を低下させるために該RF信号の周波数を調節する、電力制御回路と
を備える、質量分析計のイオントラップまたは質量フィルタを駆動するためのシステム。
【請求項２】
前記検出回路が、
前記RFゲインステージに対する電源入力部と直列状態にある、電流検出抵抗器と、
該抵抗器の一つの端子に結合された正入力部および該抵抗器の第二の端子に結合された負入力部を有し、該RFゲインステージに供給される電力に比例する出力信号を生成する、差動増幅器と
を備える、請求項1記載のシステム。
【請求項３】
前記プログラム可能なRF発生器が、プログラム可能な周波数分割回路を有する位相固定ループ（PLL）回路を備える、請求項2記載のシステム。
【請求項４】
前記プログラム可能な周波数分割回路がデジタル的にプログラム可能である、請求項3記載のシステム。
【請求項５】
前記差動増幅器の出力電圧をデジタルフィードバック信号に変換するためのアナログ・デジタル（A／D）変換器をさらに備える、請求項4記載のシステム。
【請求項６】
前記変圧器が、
共振回路を質量分析計のイオントラップまたは質量フィルタのキャパシタンスとともに形成する二次インダクタンスを有する、逓昇変圧器
である、請求項1記載のシステム。
【請求項７】
前記RF発生器が、フィルタ回路を有する前記RFゲインステージに結合されている、請求項1記載のシステム。
【請求項８】
前記RFゲインステージの出力部がフィルタ回路を備える、請求項1記載のシステム。
【請求項９】
前記フィルタ回路が直列コンデンサーを備える、請求項8記載のシステム。
【請求項１０】
前記フィルタ回路が直列抵抗器を備える、請求項8記載のシステム。
【請求項１１】
前記RFゲインステージのゲインが抵抗の比によって設定される、請求項1記載のシステム。
【請求項１２】
前記質量分析計のイオントラップまたは質量フィルタを特定の作動周波数範囲に同調させるように構成された、該質量分析計のイオントラップまたは質量フィルタと並列状態にある可変コンデンサー
をさらに備える、請求項1記載のシステム。
【請求項１３】
前記RFゲインステージが、
バイポーラ電源入力を有し、かつ前記増幅されたRF信号を生成するように構成された、演算増幅器
を備える、請求項1記載のシステム。
【請求項１４】
質量分析計のイオントラップまたは質量フィルタを作動させる方法であって、
駆動用の回路が、変圧器を介して該質量分析計のイオントラップまたは質量フィルタに結合されたRFゲインステージを含み、かつRF発生器が該RFゲインステージの入力部に結合されている、該質量分析計のイオントラップまたは質量フィルタを信号で駆動する段階、
該質量分析計のイオントラップまたは質量フィルタを駆動しながら該RFゲインステージに供給される電力レベルをモニタし、かつ該電力レベルに比例するフィードバック信号を生成する段階、および
該質量分析計のイオントラップまたは質量フィルタを駆動する場合の該RFゲインステージに必要である電力レベルを低下させるために該RF発生器の出力の周波数を調節するように、該フィードバック信号を結合する段階
を含む、方法。
【請求項１５】
前記RFゲインステージが、
電流分路抵抗器に結合されたバイポーラ電源入力部を有する、演算増幅器
を備え、かつ
該RFゲインステージに供給される前記電力レベルをモニタする段階が、該電流分路抵抗器にかかる電圧をモニタすることを含む、
請求項14記載の方法。
【手続補正２】
【補正対象書類名】明細書
【補正対象項目名】０００５
【補正方法】変更
【補正の内容】
【０００５】
本発明の一つまたは複数の態様の詳細を添付図面および以下の詳細な説明で述べる。本発明の他の特徴、目的および利点は、詳細な説明および図面ならびに請求の範囲から明らかになると考えられる。
[請求項1001]
RF信号を生成する、周波数および振幅をプログラム可能なRF発生器と、
該RF信号を受信しかつ増幅されたRF信号を生成する、RFゲインステージと、
該RFゲインステージに送達される供給電流に比例する検出信号を生成する、検出回路と、
該RFゲインステージの出力部に結合された一次側（primary）、および質量分析計のイオントラップまたは質量フィルタのキャパシタンスでタンク回路を形成するように結合された二次側（secondary）を有する、変圧器と、
該検出信号を受信しかつ該RF発生器へのフィードバック制御信号を生成し、該RFゲインステージに供給される該RF信号の電力レベルを低下させるために該RF発生器の周波数を調節する、電力回路と
を備える、質量分析計のイオントラップまたは質量フィルタを駆動するためのシステム。
[請求項1002]
前記検出回路が、
前記RFゲインステージに対する電源入力部と直列状態にある、電流検出抵抗器と、
該抵抗器の一つの端子に結合された正入力部および該抵抗器の第二の端子に結合された負入力部を有し、該RFゲインステージに供給される電力に比例する出力信号を生成する、差動増幅器と
を備える、請求項1001記載のシステム。
[請求項1003]
前記プログラム可能なRF発生器が、プログラム可能な周波数分割回路を有する位相固定ループ（PLL）回路を備える、請求項1002記載のシステム。
[請求項1004]
前記プログラム可能な周波数分割回路がデジタル的にプログラム可能である、請求項1003記載のシステム。
[請求項1005]
前記差動増幅器の出力電圧をデジタルフィードバック信号に変換するためのアナログ・デジタル（A／D）変換器をさらに備える、請求項1004記載のシステム。
[請求項1006]
前記変圧器が、
共振回路を質量分析計のイオントラップまたは質量フィルタのキャパシタンスとともに形成する二次インダクタンスを有する、逓昇変圧器
である、請求項1001記載のシステム。
[請求項1007]
前記RF発生器が、フィルタ回路を有する前記RFゲインステージに結合されている、請求項1001記載のシステム。
[請求項1008]
前記RF発生器が前記変圧器の一次側に結合されている、請求項1007記載のシステム。
[請求項1009]
前記RFゲインステージのゲインが抵抗器の比によって設定される、請求項1001記載のシステム。
[請求項1010]
前記フィルタ回路が直列抵抗器を備える、請求項1008記載のシステム。
[請求項1011]
前記質量分析計のイオントラップまたは質量フィルタを特定の作動周波数範囲に同調させるように構成された、該質量分析計のイオントラップまたは質量フィルタと並列状態にある可変コンデンサー
をさらに備える、請求項1001記載のシステム。
[請求項1012]
質量分析計のイオントラップまたは質量フィルタに結合された二次側を有する、変圧器と、
該変圧器の一次側に結合された出力部を有する、RFゲインステージと、
該RFゲインステージの入力部に結合された、信号を生成する周波数および振幅をプログラム可能なRF源であって、該質量分析計のイオントラップまたは質量フィルタを駆動する場合に該RFゲインステージに供給される電力レベルを最小値にまで低下させるために該プログラム可能なRF源の周波数を動的に調節するように、該プログラム可能なRF源の回路が構成されている、周波数および振幅をプログラム可能なRF源と
を備える、質量分析計のイオントラップまたは質量フィルタを駆動するための無線周波数（RF）ドライバシステム。
[請求項1013]
質量分析計を作動させる方法であって、
該質量分析計を駆動するための回路が、変圧器を介して該質量分析計に結合されたRFゲインステージを含み、かつRF発生器が該RFゲインステージの入力部に結合されている、該質量分析計内でイオンを捕捉するために該質量分析計を信号で駆動する段階、
該質量分析計を駆動しながら該RFゲインステージに供給される電力レベルをモニタし、かつ該電力レベルに比例するフィードバック信号を生成する段階、および
該質量分析計を駆動する場合の該RFゲインステージに供給される電力レベルを低下させるために該RF発生器の周波数を調節するように、該フィードバック信号を結合する段階
を含む、方法。